(57)【特許請求の範囲】
【請求項１】
棒状の手摺を建材部に取り付ける手摺ブラケットであって、
前記手摺の端部を覆い隠す形で収容する収容部と、前記収容部に前記手摺の端部を収容した際に前記手摺の端部の端面が位置し得る手摺端面配設位置と略同位置に、前記手摺端面配設位置に基いて距離を測定する際の基点にする測定基点部とを備え、
前記測定基点部は、メジャーの端部に設けられた係止片を引っ掛け得る引掛部を備え、
前記手摺を保持する手摺保持部を備え、
前記収容部は、前記手摺保持部の端部に凹設されているとともに、その内部に、前記手摺の端部の端面と当接する端面当接部を備え、
前記手摺端面配設位置は、前記端面当接部の位置とされ、
前記引掛部は、前記手摺保持部の外周における前記端面当接部と略同位置に、前記手摺保持部の外周から前記収容部に貫通するように形成されたスリット状の係止用孔から構成され、
前記係止用孔は、閉鎖部材によって閉鎖されるように構成されていることを特徴とする手摺ブラケット。
【請求項２】
棒状の手摺を建材部に取り付ける手摺ブラケットであって、
前記手摺の端部を覆い隠す形で収容する収容部と、前記収容部に前記手摺の端部を収容した際に前記手摺の端部の端面が位置し得る手摺端面配設位置と略同位置に、前記手摺端面配設位置に基いて距離を測定する際の基点にする測定基点部とを備え、
前記測定基点部は、メジャーの端部に設けられた係止片を引っ掛け得る引掛部を備え、  前記手摺を保持する手摺保持部を備え、
前記収容部は、前記手摺保持部の端部に凹設されているとともに、その内部に、前記手摺の端部の端面と当接する端面当接部を備え、
前記手摺端面配設位置は、前記端面当接部とされ、
前記引掛部は、前記収容部内における前記端面当接部と略同位置に設けられていることを特徴とする手摺ブラケット。
【発明の詳細な説明】
【技術分野】
【０００１】
本発明は、手摺を建材部に取り付けるための手摺ブラケットに関するものである。
【背景技術】
【０００２】
従来、棒状の手摺を建材部に取り付けるための手摺ブラケットとして、例えば特許文献１に開示されたものがある。このものは、ブラケット本体と、手摺の端部を収容する収容部（嵌合部）を有する手摺保持部とを備えた手摺ブラケットである。
【０００３】
このような手摺ブラケットを用いて手摺を、例えば図１７に示すように建材部としての壁面１００（図９参照）に装着する場合は、手摺ブラケット１０１〜１０３を、壁面１００における所定距離だけ離れた少なくとも２箇所に仮取り付けする（この図１７では、３箇所に仮取り付けした場合を図示）。そして、それらの隣接する手摺ブラケット１０１〜１０３同士における収容部１０４に手摺１１０の端部１１１を収容した際にその手摺１１０の端部１１１の端面１１１ａが配設されることになる手摺端面配設位置同士の距離Ｌ１０、Ｌ１１をメジャーで測定し、２つの手摺ブラケットに適合した長さになるように手摺１１０をカットしておく。そして、手摺ブラケット１０１〜１０３を一旦、壁面１００から外し、壁面１００の化粧を終える等した後、手摺ブラケット１０１〜１０３夫々の収容部１０４に手摺１１０の端部１１１を収容して連結するとともに、壁面１００に手摺ブラケット１０１〜１０３夫々を取り付けるようにして行われている。
【先行技術文献】
【特許文献】
【０００４】
【特許文献１】特開２００５−２２０５５９号公報
【発明の概要】
【発明が解決しようとする課題】
【０００５】
しかしながら、上述したように隣接する手摺ブラケット１０１〜１０３同士における収容部１０４に収容した際の手摺端面配設位置同士の距離Ｌ１０、Ｌ１１をメジャーで測定する際、その手摺端面配設位置が収容部１０４の内部にあるために手摺端面配設位置にメジャーの端部を宛がい難く、メジャーでの測定が容易でない。又、一方の手摺ブラケットにおける手摺端面配設位置にメジャーの端部を宛がって他方の手摺ブラケットにおける手摺端面配設位置までの距離を測定しなければならず、１人の作業者が行うのは難しく、そのため、現状では、２人以上の作業者で行われている。
【０００６】
本発明は、収容部に手摺の端部を収容した際のその手摺の端面の配設位置に基いて距離を測定する場合に容易に且つ正確に測定できる手摺ブラケットの提供を目的とする。
【課題を解決するための手段】
【０００７】
上記課題を解決するため、本発明は、棒状の手摺を建材部に取り付ける手摺ブラケットであって、前記手摺の端部を覆い隠す形で収容する収容部と、前記収容部に前記手摺の端部を収容した際に前記手摺の端部の端面が位置し得る手摺端面配設位置と略同位置に、前記手摺端面配設位置に基いて距離を測定する際の基点にする測定基点部とを備え、前記測定基点部は、メジャーの端部に設けられた係止片を引っ掛け得る引掛部を備え、前記手摺を保持する手摺保持部を備え、前記収容部は、前記手摺保持部の端部に凹設されているとともに、その内部に、前記手摺の端部の端面と当接する端面当接部を備え、前記手摺端面配設位置は、前記端面当接部の位置とされ、前記引掛部は、前記手摺保持部の外周における前記端面当接部と略同位置に、前記手摺保持部の外周から前記収容部に貫通するように形成されたスリット状の係止用孔から構成され、前記係止用孔は、閉鎖部材によって閉鎖されるように構成されていることを特徴とする手摺ブラケットを提供する。
【０００８】
この構成によれば、建材部としての壁面に取り付けた手摺ブラケットの収容部に手摺の端部を収容した際の手摺端面配設位置に基いて距離を測定する場合、例えば２つ手摺ブラケットにおける収容部に収容した際の手摺端面配設位置同士の距離を測定する場合に、手摺端面配設位置とは別途に設けた測定基点部同士の距離をメジャーで測定すればよく、容易且つ正確に測定できる。従って、手摺を、それらの手摺ブラケットの位置に適合した長さに容易に且つ正確に調整できる。
【００１０】
又、壁面に取り付けた手摺ブラケットの測定基点部を基点にしてメジャーで測定する際に、メジャーの係止片を引掛部に引っ掛けることができ、１人の作業で測定することも可能になる。従って、手摺を壁面に取り付ける作業を１人で行い得るものにできる。
【００１２】
又、引掛部は、端面当接部と略同位置になるように手摺保持部の外周に設けられているため、メジャーの係止片を引掛部に引っ掛け易いものにできる。
【００１４】
又、スリット状の係止用孔にメジャーの係止片を引掛けるようにして測定した後は、閉鎖部材によって閉鎖でき、外観的に従来のものと同等のものにできる。
【００１５】
又、本発明は、棒状の手摺を建材部に取り付ける手摺ブラケットであって、前記手摺の端部を覆い隠す形で収容する収容部と、前記収容部に前記手摺の端部を収容した際に前記手摺の端部の端面が位置し得る手摺端面配設位置と略同位置に、前記手摺端面配設位置に基いて距離を測定する際の基点にする測定基点部とを備え、前記測定基点部は、メジャーの端部に設けられた係止片を引っ掛け得る引掛部を備え、前記手摺を保持する手摺保持部を備え、前記収容部は、前記手摺保持部の端部に凹設されているとともに、その内部に、前記手摺の端部の端面と当接する端面当接部を備え、前記手摺端面配設位置は、前記端面当接部とされ、前記引掛部は、前記収容部内における前記端面当接部と略同位置に設けられていることを特徴とする手摺ブラケットを提供する。
【００１６】
これによれば、引掛部は、端面当接部と略同位置になるように収容部内に設けられているため、手摺を収容部に収容した後は、引掛部を外部から見えないものにでき、外観的に従来のものと同じにできる。
【発明の効果】
【００１７】
本発明は、収容部に手摺の端部を収容した際の手摺端面配設位置に基いて距離を測定する場合に容易に且つ正確に測定できる手摺ブラケットを提供し得たものである。
【図面の簡単な説明】
【００１８】
【図１】（ａ）は、本発明の第１実施形態の手摺ブラケットの正面図、（ｂ）は、（ａ）の手摺ブラケットの右側面図、（ｃ）は、（ａ）の手摺ブラケットの背面図、（ｄ）は、（ａ）の手摺ブラケットの平面図である。
【図２】図１の第１実施形態の手摺ブラケットの分解斜視図である。
【図３】（ａ）は、第１実施形態の手摺ブラケットの第１手摺保持部（第２手摺保持部）の正面図、（ｂ）は、（ａ）の第１手摺保持部（第２手摺保持部）の右側面図、（ｃ）は、（ａ）の第１手摺保持部（第２手摺保持部）の背面図、（ｄ）は、（ａ）の第１手摺保持部（第２手摺保持部）の平面図、（ｅ）は、（ａ）のＩＩＩ−ＩＩＩ線断面図である。
【図４】（ａ）は、第１実施形態の手摺ブラケットの係止用孔にメジャーの係止片を入れて引っ掛けた状態の断面図、（ｂ）は、第１実施形態の手摺ブラケットの係止用孔にメジャーの係止片を入れて引っ掛けた状態の正面図、（ｃ）は、第１実施形態の手摺ブラケットの係止用孔にメジャーの係止片を入れて引っ掛けた状態の斜視図である。
【図５】（ａ）は、本発明の第２実施形態の手摺ブラケットの正面図、（ｂ）は、（ａ）の手摺ブラケットの右側面図、（ｃ）は、（ａ）の手摺ブラケットの左側面図、（ｄ）は、（ａ）の手摺ブラケットの背面図、（ｅ）は、（ａ）の手摺ブラケットの平面図である。
【図６】（ａ）は、第２実施形態の手摺ブラケットの係止用孔にメジャーの係止片を入れて引っ掛けた状態の断面図、（ｂ）は、第２実施形態の手摺ブラケットの係止用孔にメジャーの係止片を入れて引っ掛けた状態の正面図、（ｃ）は、第２実施形態の手摺ブラケットの係止用孔にメジャーの係止片を引っ掛ける際の斜視図である。
【図７】（ａ）は、本発明の第３実施形態の手摺ブラケットの正面図、（ｂ）は、（ａ）の手摺ブラケットの右側面図、（ｃ）は、（ａ）の手摺ブラケットの左側面図、（ｄ）は、（ａ）の手摺ブラケットの平面図、（ｅ）は、（ａ）の手摺ブラケットの底面図である。
【図８】（ａ）は、第３実施形態の手摺ブラケットの係止用孔にメジャーの係止片を入れて引っ掛けた状態の平面図、（ｂ）は、第３実施形態の手摺ブラケットの係止用孔にメジャーの係止片を入れて引っ掛けた状態の断面図である。
【図９】本発明の第１実施形態〜第３実施形態の手摺ブラケットを、手摺と共に壁面に取り付けた状態の説明図である。
【図１０】第１実施形態の手摺ブラケットの端面当接部同士間の距離をする際の説明図である。
【図１１】第１実施形態の手摺ブラケットと第２実施形態の手摺ブラケットとの端面当接部同士間の距離、及び第２実施形態の手摺ブラケットと第３実施形態の手摺ブラケットとの端面当接部同士間の距離をする際の説明図である。
【図１２】（ａ）は、本発明の第４実施形態の手摺ブラケットの正面図、（ｂ）は、（ａ）の手摺ブラケットの右側面図、（ｃ）は、（ａ）の手摺ブラケットの背面図、（ｄ）は、（ａ）の手摺ブラケットの平面図である。
【図１３】（ａ）は、第４実施形態の手摺ブラケットの第１手摺保持部（第２手摺保持部）の正面図、（ｂ）は、（ａ）の第１手摺保持部（第２手摺保持部）の右側面図、（ｃ）は、（ａ）の第１手摺保持部（第２手摺保持部）の背面図、（ｄ）は、（ａ）の第１手摺保持部（第２手摺保持部）の平面図、（ｅ）は、（ａ）のＸＶ−ＸＶ線断面図である。
【図１４】（ａ）は、第４実施形態の手摺ブラケットの引掛片にメジャーの係止片を引っ掛けた状態の断面図、（ｂ）は、第４実施形態の手摺ブラケットの引掛片にメジャーの係止片を入れて引っ掛けた状態の正面図、（ｃ）は、第４実施形態の手摺ブラケットの引掛片にメジャーの係止片を引っ掛けた状態の斜視図である。
【図１５】（ａ）は、本発明の第５実施形態の手摺ブラケットの正面図、（ｂ）は、（ａ）の手摺ブラケットの右側面図、（ｃ）は、（ａ）の手摺ブラケットの左側面図、（ｄ）は、（ａ）の手摺ブラケットの背面図、（ｅ）は、（ａ）の手摺ブラケットの平面図である。
【図１６】（ａ）は、第５実施形態の手摺ブラケットの引掛片にメジャーの係止片を引っ掛けた状態の断面図、（ｂ）は、第５実施形態の手摺ブラケットの引掛片にメジャーの係止片を引っ掛けた状態の正面図、（ｃ）は、第５実施形態の手摺ブラケットの引掛片にメジャーの係止片を入れて引っ掛けた状態の斜視図である。
【図１７】従来例の説明図である。
【発明を実施するための形態】
【００１９】
以下、本発明を実施するための最良の形態について、図面を参照しながら詳細に説明する。図１（ａ）は、本発明の第１実施形態の手摺ブラケットの正面図、図１（ｂ）は、図１（ａ）の手摺ブラケットの右側面図、図１（ｃ）は、図１（ａ）の手摺ブラケットの背面図、図１（ｄ）は、図１（ａ）の手摺ブラケットの平面図である。図２は、図１（ａ）の手摺ブラケットの分解斜視図である。
【００２０】
第１実施形態の手摺ブラケット１は、建材部としての壁面１００（図９に図示）における所定角度（この実施形態では、略９０°）をなした入墨部に用いる入墨コーナー用のものであって、棒状の手摺１１０（図９に図示）を壁面１００に取り付けるためのものである。
【００２１】
この手摺ブラケット１は、ブラケット本体２と、手摺１１０の端部１１０を収容する収容部３１を有する手摺保持部３ａ、３ｂとを備えている。
【００２２】
上記ブラケット本体２は、ベース部４と、ベース部４の上方側に配設された支持部５とを備えている。
【００２３】
ベース部４は、前面に開口４１ａを有する筒状部４１と、筒状部４１に着脱自在に取り付けられて開口４１ａを覆ったカバー４２とを備えている。筒状部４１は、後面側に、壁面１００の入墨部に固定される壁面固定部４３を備えている。
【００２４】
この壁面固定部４３は、開口４１ａから、図示しない固定ボルト等を介して壁面１００に固定されるようになっている。
【００２５】
支持部５は、円筒状のものから構成され、その軸方向が湾曲状に形成されている。又、その軸方向の両端夫々に、手摺保持部３ａ、３ｂと連結された円弧面５１ａを有する第１連結部５１が設けられている。
【００２６】
この実施形態では、支持部５は、図２に示すように下連結片５２と、上連結片５３とから構成されている。下連結片５２は、ベース部４と一体に形成されている。上連結片５３は、下連結片５２に上方側から合わされ、上連結片５３に設けられたボルト挿通孔（図示せず）にベース部４から通された係止ボルト５４を介して係止されるようになっている。
【００２７】
手摺保持部は、上記支持部５の第１連結部５１夫々と連結された同一構成を採る第１手摺保持部３ａと第２手摺保持部３ｂとの２つから構成されている。以下、第１手摺保持部３ａについて説明し、第２手摺保持部３ｂの説明を省略する。第１手摺保持部３ａは、図３に示すように先端側に、手摺１１０の端部１１０（図３（ｅ）中に２点鎖線で示す）を全周に渡って覆い隠すようにして収容する収容部３１を備えている。
【００２８】
この収容部３１は、第１手摺保持部３ａの先端面から所定の深さで、手摺１１０の端部１１０とほぼ同形状の円柱状に凹設されている。
【００２９】
又、この収容部３１の奥部には、手摺１１０の端部１１０の端面１１１ａが当接して端面１１１ａが配設される手摺端面配設位置となる端面当接部３１ａが設けられている。
【００３０】
又、第１手摺保持部３ａは、外周に、周方向の収容部３１に手摺１１０の端部１１１を収容した際のその手摺１１０の端部１１１の端面１１１ａの配設位置に基いて距離を測定する際の基点にする測定基点部とを備えている。
【００３１】
この実施形態の各測定基点部は、第１手摺保持部３ａの外周の左右両側夫々に、軸方向における端面当接部３１ａと略同位置に、周方向に沿って所定長さで、その外周から収容部３１に貫通するように形成された２つのスリット状の係止用孔３２から構成されている。
【００３２】
又、この係止用孔３２は、図４に示すようにメジャーＭの先端に設けられた係止片Ｍ１を引っ掛ける引掛部としてのもので、メジャーＭの係止片Ｍ１が入る程度（この実施形態では、１〜２ｍｍ程度）の幅とされている。
【００３３】
又、この実施形態では、測定基点部を構成した係止用孔３２は、図２に示す閉鎖部材３５によって閉鎖されるように構成されている。詳しくは、この第１実施形態の手摺ブラケット１は、一対の閉鎖部材３５を備えており、閉鎖部材３５は、係止用孔３２に嵌挿される嵌挿片３５ａと、嵌挿片３５ａを保持した嵌挿片保持部３５ｂとから構成されている。
【００３４】
そして、閉鎖部材３５の嵌挿片保持部３５ｂが、収容部３１の内周壁に設けられた嵌挿凹部３７に嵌挿されるに際して、嵌挿片３５ａが係止用孔３２に収容部３１側から嵌挿されて係止用孔３２の全体を塞ぐようになっている。
【００３５】
又、係止用孔３２に嵌挿された嵌挿片３５ａの先端は、第１手摺保持部３ａの外周面と略面一になるように設定されているとともに、嵌挿凹部３７に嵌挿された嵌挿片保持部３５ｂと収容部３１の内周壁とが略面一になるように設定されている。
【００３６】
尚、この閉鎖部材３５は、必要に応じて設ければよく、設けない形態のものでもよく、適宜変更できる。
【００３７】
又、第１手摺保持部３ａは、基端側に、支持部５の第１連結部５１と連結軸３６ａを介して連結された第２連結部３６を備えている。この第２連結部３６は、第１連結部５１の円弧面５１ａを摺動する円弧面３６ｂと、円弧面３６ｂに形成され連結軸３６ａを移動可能に嵌挿した長孔３６ｃとを備えている。
【００３８】
そして、この第２連結部３６は、長孔３６ｃに嵌挿した連結軸３６ａが支持部５の第１連結部５１に設けられた嵌挿孔５１ｂに嵌挿されることにより支持部５の第１連結部５１と連結軸３６ａを介して連結される。
【００３９】
又、この状態で、長孔３６ｂ内を連結軸３６ａが相対移動するに際して、第１手摺保持部３ａの円弧面３６ｂが支持部５の円弧面５１ａを摺動して第１手摺保持部３ａの先端側の収容部３１が、ブラケット本体２の支持部５に対して上下方向に回動可能（収容した手摺１１０の角度調整可能）とされている。
【００４０】
以上のように構成された第１実施形態の手摺ブラケット１の壁面１００への装着方法について説明する。
【００４１】
この第１実施形態の手摺ブラケット１は、例えば図９に示すように手摺１１０を保持した状態で壁面１００における入墨部に取り付けられるようにして装着されるが、その装着に際して、まず、図１０に示すように手摺ブラケット１だけが壁面１００の入墨部に仮取り付けされる。
【００４２】
そして、図４、図１０に示すように、２つの手摺ブラケット１の対向する第１手摺保持部３ａと第２手摺保持部３ｂのいずれか一方の係止用孔３２に、メジャーＭの係止片Ｍ１を入れ、他方の手摺保持部３の係止用孔３２までの距離Ｌ１を測定する（図４、図１０では、第２手摺保持部３ｂの係止用孔３２にメジャーＭの係止片Ｍ１を入れた場合を示している）。
【００４３】
その際、夫々の係止用孔３２と収容部３１の端面当接部３１ａとの軸方向の位置がほぼ同位置に設定されているため、端面当接部３１ａ同士間の距離、即ち、２つの手摺ブラケット１の収容部３１夫々に手摺１１０の端部１１１を収容した際のその手摺１１０の端部１１１の端面１１１ａが配設されることになる手摺端面配設位置同士の距離を、容易に且つ正確に測定できる。
【００４４】
しかも、メジャーＭの係止片Ｍ１を係止用孔３２に入れて係止できるため、１人で測定することもでき、より簡単に測定できる。
【００４５】
そして、測定した距離Ｌ１に基いて、手摺１１０の端部をカットとして手摺１１０を長さ調整する。その後、壁面１００から２つの手摺ブラケット１を一旦、取り外し、手摺ブラケット１夫々のブラケット本体２から第１及び第２手摺保持部３ａ、３ｂを外す。
【００４６】
そして、第１及び第２手摺保持部３ａ、３ｂ夫々の係止用孔３２に閉鎖部材３５の嵌挿片３５ａを嵌挿させるとともに、嵌挿片保持部３５ｂを嵌挿凹部３７に嵌挿させる（図２参照）。これにより、係止用孔３２が閉鎖部材３５の嵌挿片３５ａによって閉鎖され、外部から係止用孔３２を判り難いものにできる。
【００４７】
その後、第１及び第２手摺保持部３ａ、３ｂ夫々の収容部３１に、手摺１１０の端部１１１を収容する。その際、閉鎖部材３５の嵌挿片保持部３５ｂが嵌挿凹部３７に径方向外側に押し付けられた状態になり、閉鎖部材３５が使用中に外れるおそれのないものにできる。
【００４８】
また、第１及び第２手摺保持部３ａ、３ｂ夫々に設けられた連結ボルト挿入孔３１ｂに、図示しない連結ボルトを挿入して第１及び第２手摺保持部３ａ、３ｂと手摺１１０の端部１１１との両者を連結する。
【００４９】
そして、壁面１００の化粧仕上げ等が終了した後、手摺ブラケット１夫々のブラケット本体２を壁面１００に取付けるとともに、手摺１１０と連結させた第１及び第２手摺保持部３ａ、３ｂを、ブラケット本体２にセットする。これにより、図９に示すように本発明の第１実施形態の手摺ブラケット１による手摺１１０の壁面１００への装着が完了する。
【００５０】
次に、第２実施形態の手摺ブラケット２００について説明する。第２実施形態の手摺ブラケット２００は、例えば図９に示すように平面状の壁面１００で手摺１１０を角度調整可能に保持する平面コーナー用のものとされている。
【００５１】
この第２実施形態のものは、図５〜図６に示すように、先の第１実施形態のものと同様に、ブラケット本体２０２と、第１手摺保持部２０３ａ及び第２手摺保持部２０３ｂを有する手摺保持部とを備えており、ブラケット本体２０２は、ベース部２０４と、支持部２０５とを備えている。ベース部２０４は、先の第１実施形態のものと略同構成を採っている。
【００５２】
支持部２０５は、軸方向の一端側（図５の右端側）に、先の第１実施形態のものと同構成を採る第１連結部２５１ａを備えているが、その他端側（図５の左端側）は、後述するように第２手摺保持部２０３ｂと一体的に形成されている。
【００５３】
第１手摺保持部２０３ａは、先の第１実施形態のものと同構成を採っており、図５、図６に示すようにメジャーＭの係止片Ｍ１を引っ掛ける引掛部としての係止用孔２３２を備えている。
【００５４】
第２手摺保持部２０３ｂは、支持部２０５と一体的に形成された円筒状のものから構成されており、円柱状の収容部２３１を備えている。又、収容部２３１は、図６（ａ）に示すように板状体２３０ａによって支持部２０５と区画されており、この板状体２３０の側面が端面当接部２３１ａをなしている。
【００５５】
又、第２手摺保持部２０３ｂは、その外周に、測定基点マーク２３３を備えている。この測定基点マーク２３３は、測定基点部としてのもので、軸方向の位置が端面当接部２３１ａと略同じ位置に、外周の全周に渡って、所定深さで形成された溝状のものから構成されている。
【００５６】
尚、第１手摺保持部２０３ａと第２手摺保持部２０３ｂとの支持部２０５に対する位置は、上記のように第１手摺保持部２０３ａを支持部２０５の一端側に、第２手摺保持部２０３ｂを支持部２０５の他端側に配設する形態のものに限らず、例えば図１１に示すように第２手摺保持部２０３ｂを支持部２０５の一端側に、第１手摺保持部２０３ａを支持部２０５の他端側に、夫々配設してもよく、適宜変更できる。
【００５７】
又、第２手摺保持部２０３ｂに、測定基点マーク２３３に代えて、或いは測定基点マーク２３３と共に、メジャーＭの係止片Ｍ１を引っ掛ける引掛部としての係止用孔を設けてもよく、適宜変更できる。
【００５８】
このように構成された第２実施形態の手摺ブラケット２００は、例えば図９に示すように先の第１実施形態の入墨コーナー用の手摺ブラケット１等と共に用いられる。そして、先の第１実施形態の手摺ブラケット１と同様に、手摺ブラケット１、２００が手摺１１０を保持していない状態で壁面１００に仮取り付けされる。
【００５９】
そして、図１１に示すように、２つの手摺ブラケット１、２００の対向する第１手摺保持部３ａ、２０３ａのいずれか一方の係止用孔３２、２３２に、メジャーＭの係止片Ｍ１を入れ、他方の係止用孔３２，２３２までの距離Ｌ２を測定する（この図１１では、入墨コーナー用の手摺ブラケット１の係止用孔３２にメジャーＭの係止片Ｍ１を入れた場合を図示している）。
【００６０】
この場合も、係止用孔２３２と収容部２３１の端面当接部２３１ａとの軸方向の位置がほぼ同位置に設定されているため、端面当接部１３１ａ、２３１ａ同士の距離、即ち、入墨コーナー用の手摺ブラケット１の収容部３１と第２実施形態の手摺ブラケット２００の収容部２３１に手摺１１０の端部１１１を収容した際のその手摺１１０の端部１１１の端面１１１ａが配設されることになる手摺端面配設位置同士の距離を、容易に且つ正確に測定できる。
【００６１】
そして、測定した距離Ｌ２に基いて、手摺１１０の端部をカットとして長さ調整する。以下、先の第１実施形態で説明したと同様である。
【００６２】
尚、第２実施形態の手摺ブラケット２００の測定基点マーク２３３を用いて行う測定については、後述の第３実施形態の手摺ブラケット３００のところで説明する。
【００６３】
次に、第３実施形態の手摺ブラケット３００について図７、図８に基いて説明する。第３実施形態の手摺ブラケット３００は、エンド用のものとされており、先の第１実施形態のものと同様に、ブラケット本体３０２と、手摺保持部３０３とを備えている。ブラケット本体３０２は、ベース部３０４と、ベース部３０４と一体に形成された支持部３０５とを備えている。
【００６４】
第３実施形態の手摺保持部３０３は、１つから構成されている。手摺保持部３０３は、先の第２実施形態の第２手摺保持部２０３ｂと略同構成のものからなる。ただし、この第３実施形態の手摺保持部３０３は、更に、係止用孔３３２を備えたものとされており、第３実施形態の手摺保持部３０３の測定基点部は、測定基点マーク３３３と係止用孔３３２とを備えたものとされている。
【００６５】
詳しくは、手摺保持部３０３は、先の第２実施形態の第２手摺保持部２０３ｂと同様に、軸方向の位置が端面当接部３３１ａと略同じ位置に、外周の全周に渡って、所定深さで形成された溝状の測定基点マーク３３３を備えているとともに、図８（ｂ）に示すようにその測定基点マーク３３３内の一部に、収容部３３１に貫通するように形成された係止用孔３３２を備えている。
【００６６】
このように構成された第３実施形態の手摺ブラケット３００は、例えば図９に示すように先の第２実施形態の平面コーナー用の手摺ブラケット２００等と共に用いられる。そして、先の第１実施形態や第２実施形態の場合と同様に、図１１に示すように手摺１１０を保持していない状態で手摺ブラケット２００、３００だけが壁面１００に仮取り付けされる。
【００６７】
そして、この第３実施形態の手摺ブラケット３００の係止用孔３３２に、メジャーＭの係止片Ｍ１を入れ、平面コーナー用の手摺ブラケット２００の測定基点マーク２３３までの距離Ｌ３を測定する。
【００６８】
この場合も、係止用孔３３２と収容部３３１の端面当接部３３１ａとの軸方向の位置がほぼ同位置に設定されているとともに、平面コーナー用の手摺ブラケット２００の測定基点マーク２３３と収容部２３１の端面当接部２３１ａとの軸方向の位置がほぼ同位置に設定されているため、端面当接部２３１ａ、３３１ａ同士の距離、即ち、平面コーナー用の手摺ブラケット２００の収容部２３１と第３実施形態の手摺ブラケット３００の収容部３３１との夫々に手摺１１０の端部１１１を収容した際のその手摺１１０の端部１１１の端面１１１ａが配設されることになる手摺端面配設位置同士の距離を、容易に且つ正確に測定できる。
【００６９】
そして、測定した距離Ｌ３に基いて、手摺１１０の端部をカットして手摺１１０を長さ調整する。以下、先の第１実施形態や第２実施形態で説明したと同様である。
【００７０】
次に、第４実施形態の手摺ブラケットについて、図１２〜図１４に基いて説明する。この第４実施形態の手摺ブラケット４００の測定基点部は、引掛部と測定基点マークとを備えたものから構成されている。
【００７１】
詳しくは、第４実施形態の手摺ブラケット４００における第１及び第２手摺保持部４０３ａ、４０３ｂ夫々は、収容部４３１内に、引掛部としての引掛片４３２を備えている。
【００７２】
引掛片４３２は、この実施形態では、左右一対をなす所定厚さの２つの板状片から構成されており、各引掛片４３２は、収容部４３１の周方向に沿って所定長さで、収容部４３１の内周壁から径内側に所定量、突出されるようにして形成されている。又、この引掛片４３２の側面は、端面当接部４３１ａをなしている。
【００７３】
又、第４実施形態の手摺ブラケット４００の第１及び第２手摺保持部４０３ａ、４０３ｂ夫々は、その外周に、外周の全周に渡って、所定深さで形成された溝状のものからなる測定基点マーク４３３を備えている。測定基点マーク４３３は、軸方向の位置が端面当接部４３１ａと略同じ位置に形成されている。その他は、先の第１実施形態のものと同構成を採っている。
【００７４】
このように構成された第４実施形態の手摺ブラケット４００を、２つ用いて、各収容部４３１の端面当接部４３１ａ同士間の距離をメジャーＭにより測定する場合は、図１４に示すように、いずれか一方の引掛片４３２に、メジャーＭの係止片Ｍ１を引っ掛け、他方の測定基点マーク４３３までの距離を測定する。
【００７５】
この場合も、引掛片４３２と収容部４３１の端面当接部４３１ａとの軸方向の位置がほぼ同位置に設定されているとともに、測定基点マーク４３３と端面当接部４３１ａとの軸方向の位置がほぼ同位置に設定されているため、２つの手摺ブラケット４００の収容部４３１夫々に手摺１１０の端部１１１を収容した際のその手摺１１０の端部１１１の端面１１１ａ同士の距離を、容易に且つ正確に測定できる。
【００７６】
尚、第４実施形態の手摺ブラケット４００において、引掛片４３２にメジャーＭの係止片Ｍ１を引っ掛けた位置と収容部４３１の端面当接部４３１ａとの位置は、厳密には引掛片４３２の厚さ分だけ異なるが、その程度の誤差であれば、手摺１１０を上記測定値に基いて長さ調整しても、２つの手摺ブラケット４００の収容部４３１に収容して保持でき、差し支えない。
【００７７】
次に、第５実施形態の手摺ブラケット５００について図１５、図１６に基いて説明する。この第５実施形態の第１手摺保持部５０３ａの測定基点部も、引掛部と測定基点マークとを備えたものから構成されている。
【００７８】
詳しくは、第５実施形態の手摺ブラケット５００は、第１手摺保持部５０３ａ以外、先の第２実施形態のものと同構成を採っている。
【００７９】
第１手摺保持部５０３ａは、第４実施形態の第１手摺保持部４０３ａと同構成を採っており、収容部５３１内に、左右一対の引掛片５３２を備え、図１６に示すように、引掛片５３２に、メジャーＭの係止片Ｍ１を引っ掛けることができるようになっている。又、この引掛片５３２夫々の側面が、端面当接部５３１ａをなしている。
【００８０】
又、第１手摺保持部５０３ａの外周に、測定基点マーク５３３を備えている。第１手摺保持部５０３ａのその他は、先の第１実施形態のものと同構成を採っている。
【００８１】
尚、この第５実施形態においても、第２手摺保持部５０３ｂには、測定基点マーク５３３が設けられてメジャーＭの係止片Ｍ１を引っ掛ける引掛片が設けられていないが、測定基点マーク５３３に代え、或いは、測定基点マーク５３３と共に引掛片を設けるようにしてもよく、適宜変更できる。
【００８２】
尚、上記実施形態では、手摺ブラケットを、階段の側壁に用いたが、この形態のものに限らず、スロープの側壁、平坦な床に付設される側壁等に用いることができ、適宜変更できる。
【００８３】
又、上記実施形態では、測定基点マークは、溝状のものから構成されているが、例えば測定基点マークは、手摺保持部の外周に線で表示するようにしたものでもよく、適宜変更できる。
【００８４】
又、図７に示した第３実施形態のエンド用のブラケット３００において、係止用孔３３２に代えて、収容部内に引掛片を設けたものとしてもよく、適宜変更できる。
【符号の説明】
【００８５】
１、２００、３００、４００、５００    手摺ブラケット
３ａ、２０３ａ、４０３ａ、５０３ａ    第１手摺保持部（手摺保持部）
３ｂ、２０３ｂ、４０３ｂ、５０３ｂ    第２手摺保持部（手摺保持部）
３１、２３１、３３１、４３１、５３１    収容部
３１ａ、２３１ａ、３３１ａ、４３１ａ、５３１ａ    端面当接部
３２、２３２、３３２    係止用孔（測定基点部、引掛部）
４３２、５３２    引掛片（測定基点部、引掛部）
２３３、４３３，５３３    測定基点マーク（測定基点部）
１１０    手摺
１１１ａ    端面
Ｍ    メジャー
Ｍ１    係止片
【図１】
0005758159.tif 000002
【図２】
0005758159.tif 000003
【図３】
0005758159.tif 000004
【図４】
0005758159.tif 000005
【図５】
0005758159.tif 000006
【図６】
0005758159.tif 000007
【図７】
0005758159.tif 000008
【図８】
0005758159.tif 000009
【図９】
0005758159.tif 000010
【図１０】
0005758159.tif 000011
【図１１】
0005758159.tif 000012
【図１２】
0005758159.tif 000013
【図１３】
0005758159.tif 000014
【図１４】
0005758159.tif 000015
【図１５】
0005758159.tif 000016
【図１６】
0005758159.tif 000017
【図１７】
0005758159.tif 000018